(57)【要約】      （修正有）【課題】押し釦部材の開放動作を容易にして、設置時や電池交換時などの取扱作業性を確保し、押し釦部材による確実なスイッチ動作を実現した電子機器における押釦構造を提供する。【解決手段】押し釦部材１１の前面部上縁に断面Ｕ字形状又は断面コ字形状の弾性ヒンジ片部１２を設ける。一方、機器ケーシング２の凹部８内に、弾性ヒンジ片部１２が挿通可能である挿通孔部１６が形成され、弾性ヒンジ片部１２は、自由先端部に側方に突出する回転軸部１３が設けられ、この回転軸部１３が挿通孔部１６内で機器ケーシング２の軸受け部６ａに回転可能に支持される。挿通孔部１６の上縁を形成する、前側ケーシング６の端縁部６ｂを、弾性ヒンジ片部１２が包み込むように回転可能であるとともに、押し釦部材１１が一定開度以上開いた状態で、弾性ヒンジ片部１２と端縁部６ｂとの係合関係で押し釦部材１１が前記開いた状態を保持可能である。【選択図】  図３
2006127778.tif 000002
【特許請求の範囲】
【請求項１】
機器ケーシングの下端部前側に凹部が形成され、この凹部に押し釦部材が開閉可能に設けられ、この押し釦部材が前記凹部の前面側を覆う前面部と下面側を覆う下面部とを有し、この押し釦部材の前面部の内方側に、前記押し釦部材の押圧により作動するスイッチ手段が設けられている電子機器の押釦構造において、
前記押し釦部材の前面部上縁に断面Ｕ字形状又は断面コ字形状の弾性ヒンジ片部が設けられる一方、前記機器ケーシングの凹部内に、前記弾性ヒンジ片部が挿通可能である挿通孔部が形成され、
前記弾性ヒンジ片部の自由先端部に側方に突出する回転軸部が設けられ、この回転軸部が、前記挿通孔部内で前記機器ケーシングの軸受け部に回転可能に支持され、
前記挿通孔部の上縁を形成する、前記機器ケーシングの端縁部を、前記弾性ヒンジ片部が包み込むように回転可能であるとともに、前記押し釦部材が一定開度以上開いた状態で、前記弾性ヒンジ片部と前記端縁部との係合関係で前記押し釦部材が前記開いた状態を保持可能である構成とされていることを特徴とする電子機器の押釦構造。
【請求項２】
機器ケーシングの下端部前側に凹部が形成され、この凹部に押し釦部材が開閉可能に設けられ、この押し釦部材が前記凹部の前面側を覆う前面部と下面側を覆う下面部とを有し、この押し釦部材の前面部の内方側に、前記押し釦部材の押圧により作動するスイッチ手段が設けられている電子機器の押釦構造において、
前記押し釦部材の前面部上縁に断面Ｕ字形状又は断面コ字形状の弾性ヒンジ片部が設けられる一方、前記機器ケーシングの凹部内に、前記弾性ヒンジ片部が挿通可能である挿通孔部が形成され、
前記弾性ヒンジ片部は、前記押し釦部材の前面部に一端が連接され前記下面部と平行に延びる第１の部分と、この第１の部分の他端に一端が連接される第２の部分と、この第２の部分の他端に連接され前記第１の部分と平行に延びる第３の部分とを有し、
前記第３の部分の自由先端部に側方に突出する回転軸部が設けられ、この回転軸部が、前記挿通孔部内で前記機器ケーシングの軸受け部に回転可能に支持され、
前記弾性ヒンジ片部の第１〜第３の部分の長さが、前記弾性ヒンジ片部を前記挿通孔部の上縁を形成する、前記機器ケーシングの端部を、前記第１及び第３の部分で挟み込むように回転可能とするとともに、前記押し釦部材が一定開度以上開いた状態でその開放状態を保持可能とする長さに設定されていることを特徴とする電子機器の押釦構造。
【請求項３】
前記機器ケーシングの下端側に、断面Ｕ字形状又は断面コ字形状のアーム部を介して被係合部が形成され、前記押し釦部材の下面部に、前記被係合部に係脱可能に弾性係合する係合爪部が設けられている請求項１又は２記載の電子機器の押釦構造。
【請求項４】
前記押し釦部材の前面部は、中間部材を介してスイッチ手段を押圧するものであり、
前記中間部材は、前記スイッチ手段の上方に位置する押圧部を有し、この押圧部が断面Ｕ字形状又は断面コ字形状の連接部を介して前記機器ケーシングに支持されている請求項１〜３のいずれかに記載の電子機器の押釦構造。
【請求項５】
前記電子機器は、玄関に設けられるインターホン子機である請求項１〜４のいずれかに記載の電子機器の押釦構造。
【発明の詳細な説明】
【技術分野】
【０００１】
本発明は、屋外用のインターホン子機などの電子機器の押釦構造に関するものである。
【背景技術】
【０００２】
例えば、家庭用のインターホンにおいて、玄関の壁面などに屋外用のインターホン子機を設置するとともに、部屋内に屋内用のインターホン親機を設置し、来客などの際に、親機と子機との間で相互に通信できるものが知られている。
【０００３】
そのようなインターホン子機を屋外に設置する場合には、それを取り付けるための取付ねじが必要である。その取付ねじが外部に露出するのを回避するために、専用のねじカバーを設けると、部品点数が多くなる。
【０００４】
そこで、呼び出し釦（押し釦部材）の内部に、取付ねじを隠蔽するように設け、呼び出し釦を開いた状態で保持できるように、設置作業を容易に行うことができるインターホン（電子部品）が提案されている（例えば特許文献１参照）。
【特許文献１】特許第３１０４７１９号公報（段落０００８，００３７，００３８）
【発明の開示】
【発明が解決しようとする課題】
【０００５】
上記特許文献１記載の技術では、呼び出し釦（押し釦部材）の回転軸が定まっていないので、呼び出しボタンを開いた状態で保持する際に、呼び出し釦を開く動作を行いにくい。また、呼び出し釦のヒンジ周辺部を押した場合のスイッチ動作が確実とはいえない。
【０００６】
そこで、本発明は、押し釦部材の開放動作を容易にし、設置時や電池交換時などの取扱作業性を確保して、押し釦部材による確実なスイッチ動作を実現した電子機器における押釦構造を提供することを目的とする。
【課題を解決するための手段】
【０００７】
請求項１の発明は、機器ケーシングの下端部前側に凹部が形成され、この凹部に押し釦部材が開閉可能に設けられ、この押し釦部材が前記凹部の前面側を覆う前面部と下面側を覆う下面部とを有し、この押し釦部材の前面部の内方側に、前記押し釦部材の押圧により作動するスイッチ手段が設けられている電子機器の押釦構造において、前記押し釦部材の前面部上縁に断面Ｕ字形状又は断面コ字形状の弾性ヒンジ片部が設けられる一方、前記機器ケーシングの凹部内に、前記弾性ヒンジ片部が挿通可能である挿通孔部が形成され、前記弾性ヒンジ片部の自由先端部に側方に突出する回転軸部が設けられ、この回転軸部が、前記挿通孔部内で前記機器ケーシングの軸受け部に回転可能に支持され、前記挿通孔部の上縁を形成する、前記機器ケーシングの端縁部を、前記弾性ヒンジ片部が包み込むように回転可能であるとともに、前記押し釦部材が一定開度以上開いた状態で、前記弾性ヒンジ片部と前記端縁部との係合関係で前記押し釦部材が前記開いた状態を保持可能である構成とされていることを特徴とする。ここで、「弾性ヒンジ片部が挿通可能である」とは、弾性ヒンジ片部全体が挿通孔部に挿通可能である場合だけでなく、弾性ヒンジ片の一部が挿通可能である場合も含むことを意味する。
【０００８】
このようにすれば、機器ケーシングに押し釦部材を回転可能に支持させる断面Ｕ字形状又は断面コ字形状の弾性ヒンジ片部が、（前記挿通孔部の上縁を形成する）前記機器ケーシングの端縁部を包み込むように回転可能とするとともに、前記押し釦部材が一定開度以上開いた状態で、前記弾性ヒンジ片部と前記端縁部との接触関係で前記押し釦部材が前記開いた状態を保持可能である構成とされているので、押し釦部材の開放動作を容易にして、設置時や電池交換時などの取扱作業性を確保し、押し釦部材による確実なスイッチ動作を実現することができる。
【０００９】
請求項２の発明は、機器ケーシングの下端部前側に凹部が形成され、この凹部に押し釦部材が開閉可能に設けられ、この押し釦部材が前記凹部の前面側を覆う前面部と下面側を覆う下面部とを有し、この押し釦部材の前面部の内方側に、前記押し釦部材の押圧により作動するスイッチ手段が設けられている電子機器の押釦構造において、前記押し釦部材の前面部上縁に断面Ｕ字形状又は断面コ字形状の弾性ヒンジ片部が設けられる一方、前記機器ケーシングの凹部内に、前記弾性ヒンジ片部が挿通可能である挿通孔部が形成され、前記弾性ヒンジ片部は、前記押し釦部材の前面部に一端が連接され前記下面部と平行に延びる第１の部分と、この第１の部分の他端に一端が連接される第２の部分と、この第２の部分の他端に連接され前記第１の部分と平行に延びる第３の部分とを有し、前記第３の部分の自由先端部に側方に突出する回転軸部が設けられ、この回転軸部が、前記挿通孔部内で前記機器ケーシングの軸受け部に回転可能に支持され、前記弾性ヒンジ片部の第１〜第３の部分の長さが、前記弾性ヒンジ片部を前記挿通孔部の上縁を形成する、前記機器ケーシングの端部を、前記第１及び第３の部分で挟み込むように回転可能とするとともに、前記押し釦部材が一定開度以上開いた状態でその開放状態を保持可能とする長さに設定されていることを特徴とする。ここで、弾性ヒンジ片部の第２の部分は、第１の部分と第３の部分とを平行に連接でき、前記機器ケーシングの端部を、第１及び第３の部分で挟み込むように回転可能となる形状（長さを含む）であればよく、その形状は制限されない（例えば、断面は直線状である必要はなく、湾曲した形状でもよい）。
【００１０】
このようにすれば、機器ケーシングに押し釦部材を回転可能に支持させる断面Ｕ字形状又は断面コ字形状の弾性ヒンジ片部の第１〜第３の部分の長さが、前記弾性ヒンジ片部を前記挿通孔部の上縁を形成する、前記機器ケーシングの端部を、前記第１及び第３の部分で挟み込むように回転可能とするとともに、前記押し釦部材が一定開度以上開いた状態でその開放状態を保持可能とする長さに設定されているので、押し釦部材の開放動作を容易にして、設置時や電池交換時などの取扱作業性を確保し、押し釦部材による確実なスイッチ動作を実現することができる。
【００１１】
請求項３に記載のように、前記機器ケーシングの下端側に、断面Ｕ字形状又は断面コ字形状のアーム部を介して被係合部が形成され、前記押し釦部材の下面部に、前記被係合部に係脱可能に弾性係合する係合爪部が設けられている構成とすることが望ましい。
【００１２】
このようにすれば、被係合部と係合爪部との係合操作の容易性を確保して、正面から見えない機器ケーシングの下面側に係合部と被係合部との係合部分を位置させることができる。
【００１３】
請求項４に記載のように、前記押し釦部材の前面部は、中間部材を介してスイッチ手段を押圧するものであり、前記中間部材は、前記スイッチ手段の上方に位置する押圧部を有し、この押圧部が断面Ｕ字形状又は断面コ字形状の連接部を介して前記機器ケーシングに支持されている構成としてもよい。
【００１４】
このようにすれば、押し釦部材を押すことで、中間部材（Ｕ字形状の連接部）の弾性により中間部材の押圧部が無理なく変位し、スイッチ手段を押圧して動作させることができる。
【００１５】
請求項５に記載のように、前記電子機器は、玄関に設けられるインターホン子機とすることができる。
【００１６】
このようにすれば、屋外の、例えば玄関に取り付けるための取付ねじを押し釦部材にて覆うことができ、外部から取付ねじを見えなくすることができる。
【発明の効果】
【００１７】
以上のように構成したから、本発明は、機器ケーシングに押し釦部材を回転可能に支持させる断面Ｕ字形状又は断面コ字形状の弾性ヒンジ片部が、前記挿通孔部の上縁を形成する、前記機器ケーシングの端縁部を包み込むように回転可能とするとともに、前記押し釦部材が一定開度以上開いた状態で、前記弾性ヒンジ片部と端縁部との係合関係で前記開いた状態を保持可能に構成しているので、押し釦部材の開放動作を容易にして、設置時や電池交換時などの取扱作業性を確保し、押し釦部材による確実なスイッチ動作を実現することができる。
【発明を実施するための最良の形態】
【００１８】
以下、本発明の実施の形態を図面に沿って説明する。
【００１９】
図１は本発明の一実施の形態である屋外用のインターホン子機の通常使用時の外観を示す図、図２は押し釦部材を開いた状態の外観を示す図である。
【００２０】
図１に示すように、インターホン子機１（電子機器）は、合成樹脂製の機器ケーシング２の前面下部中央にスイッチ部３が、そのスイッチ部３の左側方にマイクロホン部４がそれぞれ配置されている。また、前面上部には、スピーカ部５が配置されている。
【００２１】
機器ケーシング２は、後面側が開放された矩形箱形状の前側ケーシング６の後面側に、前面側が開放された矩形箱形状の後側ケーシング７が取り付けられてなる。なお、後側ケーシング７の背面が、壁面等に固定する固定面とされるので、後側ケーシング７が取り付けられた後に、その後側ケーシング７に前側ケーシング６が取り付けられる。
【００２２】
前側ケーシング６の下端部前側の中央部分に凹部８が形成され、その凹部８に対し押し釦部材１１が開閉可能に設けられている。この押し釦部材１１は、実質的に断面Ｌ字形状に形成され、機器ケーシング２の前面側を覆う長方形板状の前面板部１１Ａと、下面側を覆う下面板部１１Ｂとを有する。押し釦部材１１（前面板部１１Ａ）は、前側ケーシング６の下端部前側の中央部分の凹部８を開閉できるように前側ケーシング６に回転可能に設けられている。
【００２３】
前面板部１１Ａの上縁部後側には、略断面Ｕ字形状又は断面コ字形状の（１対の）弾性ヒンジ片部１２が一定間隔を存して後方に突出するように設けられている。この弾性ヒンジ片部１２は、押し釦部材１１の前側板部１１Ａ（前面部）に一端が連接され下面板部１１Ｂ（下面部）と平行に延びる第１の部分１２Ａと、この第１の部分１２Ａの他端に一端が連接され前面板部１１Ａと平行に反対側に延びる第２の部分１２Ｂと、この第２の部分１２Ｂの他端に連接され第１の部分１２Ａと平行に延びる第３の部分１２Ｃとを有し、この第３の部分１２Ｃが第１の部分１２Ａより長さが短い構成とされている。そして、第３の部分１２Ｃの先端に回転軸部１３が左右外方に突出するように設けられている。
【００２４】
前側ケーシング６の凹部８の上面部分には、弾性ヒンジ片部１２に対応して、弾性ヒンジ片部１２が挿通可能である挿通孔部１６が形成されている。そして、この挿通孔部１６を通じて弾性ヒンジ片部１２が挿入され、回転軸部１３が、（挿入孔部１６内の）前側ケーシング６の軸受け部６ａに回転可能に支持されることで、凹部８に対して押し釦部材１１が回転可能に取り付けられている。このヒンジ片部１２は、ヒンジ片部１２の第１および第３の部分１２Ａ，１２Ｃの間に、挿通孔部１６の上縁を形成する前側ケーシング６の端縁部６ｂ（前側ケーシング６の前面板の部分で、先端部分が湾曲している）を挟み込んだ状態で回転可能となっている。換言すれば、断面Ｕ字形状又は断面コ字形状の弾性ヒンジ片部１２が端縁部６ｂを内部に包み込むように回転可能となっている。また、押し釦部材１１が一定開度以上回転（開放）されたときに、弾性ヒンジ片部１２と端縁部６ｂとの係合関係で一定の開度が保持可能ともなっている。
【００２５】
このように、弾性ヒンジ片部１２の第１〜第３の部分１２Ａ〜１２Ｃの長さが、（弾性ヒンジ片部１２を挿通孔部１６の上縁を形成する）前側ケーシング６の端縁部６ｂを、第１及び第３の部分１２Ａ，１２Ｃで挟み込むように回転可能とするとともに、押し釦部材１１が一定開度以上開いた状態でその開放状態を保持可能とする長さに設定されている。
【００２６】
下面板部１１Ｂの下縁部後側には、一定間隔を存して１対の係合爪部１１Ｂａが突出するように設けられている。一方、前側ケーシング６（凹部８）の下端部前側に、係合爪部１１Ｂａが係脱可能に係合する被係止部１４ａが断面Ｕ字形状又は断面コ字形状のアーム部１４ｂを介して設けられ、アーム部１４ｂの弾性によって、被係止部１４ａが係合爪部１１Ｂａに弾性係合する状態となるように前方に付勢されている。また、アーム部１４ｂには、下面板部１１Ｂと後側ケーシング７との間の隙間を通じて外部に露出する係止解除用突部１４ｃが一体に設けられている。この突部１４ｃは、下面板部１１Ｂや後側ケーシング７の下面より若干突出しているので、突部１４ｃを押すことでアーム部１４ｂ（被係止部１４ａ）がケーシング内方（係止解除方向）に変位して、被係止部１４ａと係合爪部１１Ｂａとの弾性係合を簡単に解除できる。
【００２７】
左右の被係止部１４ａの間には、前側ケーシング６を後側ケーシング７に嵌め込んだ状態でそれらを一体に固定して機器ケーシング２を形成するための取付ねじ１５のねじ取り付け部１４ｄが設けられている。
【００２８】
また、凹部８の中央付近には、左右方向に長い開口部２１が設けられ、この開口部２１内に、押し釦部材１１の押圧操作力を、後側ケーシング７（機器ケーシング２）内に配設されたスイッチ２２（スイッチ手段）に伝達する中間部材２３が配置されている。中間部材２３は、スイッチ２２の上方に位置する押圧部２３ａを有し、この押圧部２３ａが断面Ｕ字形状又は断面コ字形状の連接部２３ｂを介して前側ケーシング６（機器ケーシング２）に支持されている。つまり、中間部材２３は、前側ケーシング６と一体に形成されている。
【００２９】
スイッチ２２は、押圧部２３ａに対向して、後側ケーシング７の内部にねじ止めされる基板３１に搭載されている。この基板３１には他の電子部品（図示せず）も搭載されており、電子回路部が構成されている。また、スイッチ２２は、押圧部２３ａの内方側に位置しているので、押し釦部材１１の前面板部１１Ａの内方側に設けられていることになる。
【００３０】
よって、上述したインターホン子機１を、例えば玄関の壁面等に取付施工する場合には、まず、後側ケーシング７の背面（固定面）を、玄関の壁面等の所定位置や、予め壁面等に取付用ボックスが埋設されている場合にはその取付用ボックスの位置に合わせ、背面の取付孔（図示せず）を通じて図示しない固定ねじを壁面等や取付用ボックスに螺着することにより、壁面等に固定する。
【００３１】
それから、前側ケーシング６を後側ケーシング７に嵌め込んで取付ねじ１５にて取り付けることになるが、このとき、押し釦部材１１を、一定の開度でもって開いた状態に保持しておく。
【００３２】
つまり、押し釦部材１１を、閉じた状態から開く方向に回転させていくと、押し釦部材１１の両弾性ヒンジ片部１２は、端縁部６ｂを包み込んだような状態になりながら端縁部６ｂの周囲を回転する。そして、押し釦部材１１が一定の開度になるまで回転すると、第１の部分１２Ａの内側部分（第３の部分１２Ｃと対向する部分）に端縁部６ｂが接触した係合状態となり、押し釦部材１１を離しても、その開度が保持される。
【００３３】
そして、前側ケーシング６を後側ケーシング７に対し嵌め込み、ねじ取り付け部１４ｄを取付ねじ１５にてねじ止めすることで前側ケーシング６を後側ケーシング７に固定することができる。この作業は、押し釦部材１１が開いた状態で行うことができるので、設置作業性がよい。なお、この開いた状態で、スピーカ部５の音量ボリューム等を凹部８内に配設している場合などにはその調整作業も容易に行なうことができる。また、電池交換のために、前側ケーシング６を取り外す場合も、押し釦部材１１を開いた状態で、取付ねじ１５を緩めて、前側ケーシング６を取り外すことによって容易に行うことができる。
【００３４】
このようにして固定した後、押し釦部材１１を閉じる方向に回転させると、弾性ヒンジ片部１２の弾性により、第１の部分１２Ａと第３の部分１２Ｃとの間隔が広がるように弾性変形して押し釦部材１１の開放保持状態が無理なく解除される。これは端縁部６ｂの先端が丸く湾曲していることによっても助長される。そして、最終的に押し釦部材１１の係止爪部１１Ｂａを被係止部１４ａに弾性係合させることで、押し釦部材１１により閉じた状態が保持される。この状態では、押し釦部材１１によってねじ取り付け部１４ｄが隠蔽されており、外観（見栄え）向上を図る上で有利である。
【００３５】
このようにして、インターホン子機１の玄関の壁面等への取付施工が終了する。なお、屋内等に配設された対となるインターホン親機（図示せず）には、図示しないアンテナを通じて無線で信号が送られる。
【００３６】
次に、来客者等がインターホンを利用する場合、押し釦部材１１を押圧操作することにより、押圧部２３ａ（中間部材２３）を介してスイッチ２２がオン作動し、呼出しがなされる。押し釦部材１１の押圧操作を解除すると、押圧部２３ａが連接部２３ｂの弾性により押し戻され、スイッチ２２がオフ状態に復帰する。
【００３７】
また、弾性ヒンジ片部１２が断面Ｕ字形状又は断面コ字形状であるので、前面板部１１Ａのいずれの位置を押圧しても、同様に変位するので、スイッチ操作が安定する。つまり、基本的には押し釦部材１１の回転運動でスイッチ２２を動作させるが、本実施の形態では、押し釦部材１１の上部の弾性ヒンジ片部１２に近い部分では、押し付け力が大きくないと、スイッチ２２が動作しないのを回避するために、ヒンジ片部１２を断面Ｕ字形状又は断面コ字形状（いわゆるクランク状）に製作し、たわみ機能（しなり機能）を持たせ、軽い押圧力でスイッチ２２が動作するようにしている。
【００３８】
このヒンジ片部１２のたわみ機能が、前述したところの、押し釦部材１１を開いた状態を保持するためにも使用される。図４に示すように、押し釦部材１１を開いたとき、ヒンジ片部１２は端縁部６ｂを包み込むように回転し、ヒンジ片部１２の第１の部分１２Ａが端縁部６ｂを乗り越えるので、ヒンジ片部１２の第１の部分１２Ａと端縁部６ｂとの係合関係で押し釦部材１１の自重では凹部８を閉じる方向に落下せず、所定の開度だけ開いた状態が保持される構成となっている。これにより、ねじ取り付け部１４ｄへの取付ねじ１５の取り付け作業などが簡単になる。
【００３９】
そして、屋内等に設置されたインターホン親機が応答すると、スピーカ部５から応答音声が発せられる。一方、インターホン子機１に向けて発せられた来客者の音声はマイクロホン部４で採音され、屋内のインターホン親機に伝達される。
【００４０】
また、押し釦部材１１は、係合爪部１１Ｂａと被係止部１４ａとの弾性係合関係で通常の状態では外れることはないが、係止解除用突部１４ｃを押圧操作することにより、前側ケーシング６から後側ケーシング７を外すことなく、押し釦部材１１の被係止部１４ａと前側ケーシング６の係合爪部１１Ｂａとの係合を解除することができる。これら係合爪部１１Ｂａと被係止部１４ａとの係合部分は、インターホン子機１が取り付けられた状態で、下面側に位置するので、正面からは見ることができず、（押し釦部材１１を開いて行う）いたずらなどの防止を図る上で有利である。
【００４１】
なお、上記実施の形態のように、無線式の場合には、電池を通常内蔵しており、電池の交換作業のために前側ケーシング６の取り外し作業が必要になるので、前述したような構造は特に有利である。また、故障時や定期点検時などにおいても、前側ケーシング６の取り外し作業が必要になるので、これらの場合にも有利である。
【図面の簡単な説明】
【００４２】
【図１】（ａ）〜（ｃ）はそれぞれ本発明の一実施の形態である屋外用のインターホン子機の通常使用時の外観を示す正面図、底面図及び右側面図である。
【図２】（ａ）〜（ｃ）はそれぞれ押し釦部材を開いた状態の外観を示す正面図、底面図及び右側面図である。
【図３】図１（ａ）のＡ−Ａ線における断面図である。
【図４】押し釦部材を開いた状態を示す図３と同様の図である。
【符号の説明】
【００４３】
１    インターホン子機
２    機器ケーシング
６    前側ケーシング
６ａ    軸受け部
６ｂ    端縁部
７    後側ケーシング
８    凹部
１１    押し釦部材
１１Ａ    前面板部
１１Ｂ    下面板部
１１Ｂａ    係合爪部
１２    弾性ヒンジ片部
１２Ａ    第１の部分
１２Ｂ    第２の部分
１２Ｃ    第３の部分
１３    回転軸部
１４ａ    被係止部
１４ｂ    アーム部
１４ｄ    ねじ取り付け部
１５    取付ねじ
１６    挿通孔部
２１    開口部
２２    スイッチ
２３    中間部材
２３ａ    押圧部
２３ｂ    連接部
３１    基板
【図１】
2006127778.tif 000003
【図２】
2006127778.tif 000004
【図３】
2006127778.tif 000005
【図４】
2006127778.tif 000006